(57)【要約】【課題】情報記録媒体に設けられた複数の情報記録面のそれぞれに対して好適にレーザ光を合焦させることが可能な光学系を提供する。【解決手段】相互に平行な複数の情報記録面を有する情報記録媒体の該複数の情報記録面のそれぞれにレーザ光を合焦させる光学系であって、光源側から情報記録面へ向けて順に、倍率変換素子と、対物レンズとを備え、前記倍率変換素子を光軸方向に移動させることによって、結像倍率を変化させるとともに、前記結像倍率の変化の量Δｍが以下の式：Δｍ＞０．０１５を満たす。【選択図】図２
2011065720.tif 000002
【特許請求の範囲】
【請求項１】
相互に平行な複数の情報記録面を有する情報記録媒体の該複数の情報記録面のそれぞれにレーザ光を合焦させる光学系であって、光源側から情報記録面へ向けて順に、
倍率変換素子と、対物レンズとを備え、
前記倍率変換素子を光軸方向に移動させることによって、結像倍率を変化させるとともに、前記結像倍率の変化の量Δｍが以下の式を満たす、光学系：
Δｍ＞０．０１５
【請求項２】
以下の式を満たす請求項１に記載の光学系：
Δｍ＞０．０２
【請求項３】
相互に平行な複数の情報記録面を有する情報記録媒体の該複数の情報記録面のそれぞれにレーザ光を合焦させる光学系であって、光源側から情報記録面へ向けて順に、
倍率変換素子と、対物レンズとを備え、
前記倍率変換素子を光軸方向に移動させることによって、結像倍率を変化させるとともに、前記結像倍率のうち最大の結像倍率をｍ１、最小の結像倍率をｍ２としたとき、以下の式を満たす、光学系：
｜ｍ１＋ｍ２｜＜０．００２
【請求項４】
光源と、
前記光源から出射された光線を情報記録媒体面上に集光する集光手段と、
前記情報記録媒体で変調された光束を分離するための分離手段と、
前記情報記録媒体で変調された光を受光する受光手段を備え、
前記光源から集光手段を含む光学系は、請求項１〜３のいずれかに記載されたものである、光ピックアップ装置。
【発明の詳細な説明】
【技術分野】
【０００１】
本発明は光学系及びそれを用いた光ピックアップ装置に関する。詳細には、複数の情報記録面を有する情報記録媒体の各情報記録面に対してレーザ光を合焦させるための光学系及びそれを用いた光ピックアップ装置に関する。
【背景技術】
【０００２】
近年、複数の情報記録面を有する情報記録媒体（例えば、ＢＤ（Ｂｌｕ−ｒａｙ  Ｄｉｓｃ（登録商標））等の光ディスクなど）の研究開発が進められている。しかしながら、複数の情報記録面が設けられている場合、情報記録媒体の光源側表面から各情報記録面までの距離が相互に異なるため、通常、ひとつの対物レンズで複数の情報記録面のそれぞれにレーザ光を合焦させようとした場合、情報記録媒体の光源側表面から各情報記録面までの距離の相違に起因して球面収差が発生するため、すべての情報記録面に対して好適にレーザ光を合焦させるのは困難である。このような問題に鑑み、例えば、特許文献１等には、ビームエキスパンダーレンズやコリメータレンズを光軸方向に駆動させて対物レンズに入射するビームの発散角を変化させることにより、情報記録媒体の光源側表面から各情報記録面までの距離の相違に起因する球面収差を補正する技術が開示されている。
【先行技術文献】
【特許文献】
【０００３】
【特許文献１】特開２００６−３１９０１号公報
【発明の概要】
【発明が解決しようとする課題】
【０００４】
しかしながら、上記文献に開示されている技術のように対物レンズを２枚組の構成とした場合、組み立て調整を行う必要もあり、コストが高くなる。また、情報記録媒体１枚での記憶容量を高めるために、情報記録面の数をさらに増やした場合、多くの球面収差量が発生し、補正できずに安定した記録及び再生ができなくなる。
【０００５】
本発明は斯かる点に鑑みてなされたものであり、その目的とするところは、情報記録媒体に設けられた複数の情報記録面のそれぞれに対して好適にレーザ光を合焦させることが可能な光学系及び光ピックアップ装置を提供することにある。
【課題を解決するための手段】
【０００６】
上記目的を達成するために、本発明に係る光学系は、相互に平行な複数の情報記録面を有する情報記録媒体の該複数の情報記録面のそれぞれにレーザ光を合焦させる光学系であって、光源と、対物レンズと、前記光源と前記対物レンズとの間に配置された倍率変換素子によって、結像倍率が変化する光学系であって、前記結像倍率の変化率Δｍが以下の式を満たす事を特徴とする光学系から構成される。
Δｍ＞０．０１５
【０００７】
また、本発明に係る光学系は、相互に平行な複数の情報記録面を有する情報記録媒体の該複数の情報記録面のそれぞれにレーザ光を合焦させる光学系であって、光源と、対物レンズと、前記光源と前記対物レンズとの間に配置された倍率変換素子によって、結像倍率が変化する光学系であって、前記結像倍率の変化率Δｍが以下の式を満たす事を特徴とする。
Δｍ＞０．０２
【０００８】
また、本発明に係る光学系は、上記光学系の構成に加えて、相互に平行な複数の情報記録面を有する情報記録媒体の該複数の情報記録面のそれぞれにレーザ光を合焦させる光学系であって、光源と、対物レンズと、前記光源と前記対物レンズとの間に配置された倍率変換素子によって、結像倍率が変化する光学系であって、前記結像倍率のうち最大の結像倍率をｍ１、最小の結像倍率をｍ２とした場合、以下の式を満たす。
（ｍ１＋ｍ２）＜０．００２
【発明の効果】
【０００９】
本発明によれば、情報記録媒体に設けられたすべての情報記録面に対して好適にレーザ光を合焦させることが可能な光学系及びそれを用いた光ピックアップ装置を実現することができる。
【図面の簡単な説明】
【００１０】
【図１】本発明の実施形態に係る光学系の主要部の構成を表す構成図
【図２】本発明の実施形態に係る対物光学系の構成を拡大した断面図
【図３】本発明の数値実施例１に係る対物レンズの光路図
【図４】本発明の数値実施例１に係る対物レンズの球面収差と正弦条件の不満足量を表す収差図
【発明を実施するための形態】
【００１１】
（実施の形態）
以下、本発明の実施形態について、図面を参照しながら詳細に説明する。図１は、本発明の実施形態に係る光学系の主要部の構成を表す構成図である。図２は、本発明の実施形態に係る対物光学系の構成を拡大した断面図である。
【００１２】
本実施形態に係る光学系１は、情報記録媒体２０の情報記録面２１に対してレーザ光を合焦させるためのものである。詳細に、情報記録媒体２０は、相互に平行で、且つ相互に離間するように配置された複数の情報記録面２１を備えており、光ピックアップ装置１は、それら複数の情報記録面２１のそれぞれに対してレーザ光を合焦させるためのものである。具体的に、情報記録媒体２０は、光源１０側からこの順で配置された，第１の情報記録面２１ａと、第２の情報記録面２１ｂと、第３の情報記録面２１ｃと、第４の情報記録面２１ｄとの４面の情報記録面２１を有している。第１の情報記録面２１ａの光源１０側には第１の保護層２２ａが設けられている。第１の情報記録面２１ａと第２の情報記録面２１ｂとの間には、第２の保護層２２ｂが設けられている。第２の情報記録面２１ｂと第３の情報記録面２１ｃとの間には、第３の保護層２２ｃが設けられている。そして、第３の情報記録面２１ｃと第４の情報記録面２１ｄとの間には、第４の保護層２２ｄが設けられている。第１の保護層２２ａ、第２の保護層２２ｂ、第３の保護層２２ｃ、及び第４の保護層２２ｄは、相互に略同一の層厚であってもよく、また、相互に異なる層厚であってもよい。尚、ここでは、このように４面の情報記録面２１を有する場合を例に挙げて説明するが、本発明はこれに限定されるものではない。本発明に係る光学系は、例えば、２面又は３面の情報記録面、若しくは５面以上の情報記録面を有する情報記録媒体の各情報記録面に対してレーザ光を合焦するものであってもよい。
【００１３】
ここで、情報記録媒体２０の種類は特に限定されるものではない。情報記録媒体２０は、例えば、ＣＤ（Ｃｏｍｐａｃｔ  Ｄｉｓｃ）、ＣＤ−Ｒ（Ｃｏｍｐａｃｔ  Ｄｉｓｋ  Ｒｅｃｏｒｄａｂｌｅ）、ＣＤ−ＲＷ（Ｃｏｍｐａｃｔ  Ｄｉｓｋ  ＲｅＷｒｉｔａｂｌｅ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）、ＤＶＤ−ＲＷ（Ｄｉｇｉｔａｌ  Ｖｅｒｓａｔｉｌｅ  Ｄｉｓｃ  ＲｅＷｒｉｔａｂｌｅ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、ＤＶＤ−ＲＡＭ（Ｄｉｇｉｔａｌ  Ｖｅｒｓａｔｉｌｅ  Ｄｉｓｋ  Ｒａｎｄｏｍ  Ａｃｃｅｓｓ  Ｍｅｍｏｒｙ）、ＥＶＤ（Ｅｎｈａｎｃｅｄ  Ｖｅｒｓａｔｉｌｅ  Ｄｉｓｃ）、ＥＶＤ−Ｒ（Ｅｎｈａｎｃｅｄ  Ｖｅｒｓａｔｉｌｅ  Ｄｉｓｃ  Ｒｅｃｏｒｄａｂｌｅ）、ＥＶＤ−ＲＷ（Ｅｎｈａｎｃｅｄ  Ｖｅｒｓａｔｉｌｅ  Ｄｉｓｃ  ＲｅＷｒｉｔａｂｌｅ）、ＥＶＤ−ＲＯＭ（Ｅｎｈａｎｃｅｄ  Ｖｅｒｓａｔｉｌｅ  Ｄｉｓｃ  Ｒｅａｄ  Ｏｎｌｙ  Ｍｅｍｏｒｙ）、ＥＶＤ−ＲＡＭ（Ｅｎｈａｎｃｅｄ  Ｖｅｒｓａｔｉｌｅ  Ｄｉｓｋ  Ｒａｎｄｏｍ  Ａｃｃｅｓｓ  Ｍｅｍｏｒｙ）、ＢＤ（Ｂｌｕ−ｒａｙ  Ｄｉｓｃ）、ＢＤ−Ｒ（Ｂｌｕ−ｒａｙ  Ｄｉｓｃ  Ｒｅｃｏｒｄａｂｌｅ）、ＢＤ−ＲＷ（Ｂｌｕ−ｒａｙ  Ｄｉｓｃ  ＲｅＷｒｉｔａｂｌｅ）、ＢＤ−ＲＯＭ（Ｂｌｕ−ｒａｙ  Ｄｉｓｃ  Ｒｅａｄ  Ｏｎｌｙ  Ｍｅｍｏｒｙ）、ＢＤ−ＲＡＭ（Ｂｌｕ−ｒａｙ  Ｄｉｓｃ  Ｒａｎｄｏｍ  Ａｃｃｅｓｓ  Ｍｅｍｏｒｙ）等の光ディスク（以上、すべて登録商標）であってもよい。
【００１４】
光学系１は、光源１０と、ビーム成形レンズ１１と、ビームスプリッタ１２と、コリメータレンズ１３と、対物光学系１４と、検出系１６とを備えている。光源１０は、情報記録媒体２０の種類に応じた波長のレーザ光（発散光）を出射するものである。例えば、情報記録媒体２０がＢＤ（登録商標）である場合は、波長が３７８〜４３８ｎｍ（４２０ｎｍ未満であってもよい）のレーザ光を出射するものとすることができる。一方、情報記録媒体２０がＤＶＤ（登録商標）である場合は、波長が６３０〜６９０ｎｍのレーザ光を出射するものとすることができる。また、情報記録媒体２０がＣＤ（登録商標）である場合は、波長が７５０〜８１０ｎｍのレーザ光を出射するものとすることができる。また、例えば、光学系１がＣＤ、ＤＶＤ、ＢＤの３種の光ディスクに対してレーザ光を合焦させるものである場合は、光源１０を光学系１に対して配置された光ディスクの種類に応じた波長の光を選択的に出射するものとすることができる。
【００１５】
光源１０の前方にはビーム成形レンズ１１が配置されている。このビーム成形レンズ１１によって光源１０から出射されたレーザ光が所望の形状に成形される。ビーム成形レンズ１１により成形されたレーザ光は、ビームスプリッタ１２の反射面１２ａにより情報記録媒体２０方向へと反射される。ここで、ビーム成形レンズは、なくてもよい。ビームスプリッタ１２と情報記録媒体２０との間には、コリメータレンズ（単一のレンズにより構成されていてもよく、複数のレンズにより構成されていてもよい。）１３と、情報記録媒体２０の各情報記録面２１にレーザ光を合焦するための対物光学系１４とが配置されている。尚、本実施形態では、対物光学系１４は対物レンズ１５のみによって構成されているが、必要に応じて、対物光学系１４を対物レンズ１５と位相補正素子やビームエキスパンダーレンズ等の他の１又は複数の光学素子とにより構成してもよい。
【００１６】
対物レンズ１５のＮＡは特に限定されるものではないが、特に光学系置１がＢＤ（登録商標）等に対してレーザ光を合焦させるものである場合は、例えば０．８以上であることが好ましい。
【００１７】
対物光学系１４により情報記録媒体２０の情報記録面２１に合焦されたレーザ光は、情報記録面２１により反射される。そして、その情報記録面２１における反射光は再度、対物光学系１４、コリメータレンズ１３、ビームスプリッタ１２を透過して検出系１６に入射するように構成されている。検出系１６は、検出器１８と、検出器１８に合焦するための検出レンズ１７とにより構成されており、検出器１８において検出レンズ１７によって合焦された反射光が検出されるように構成されている。
【００１８】
本実施形態では、コリメータレンズ１３は収差補正素子としての機能を有するものであり、ビームスプリッタ１２と対物レンズ１５（対物光学系１４）との間の基準位置に位置し、その基準位置から光軸ＡＸ上を変位可能に構成されている。そして、複数の情報記録面２１のうちレーザ光を合焦しようとする情報記録面２１にレーザ光が合焦するように基準位置から光軸ＡＸ上を変位して対物レンズ１５（対物光学系１４）により情報記録面２１にレーザ光が好適に合焦するように構成されている。言い換えれば、レーザ光を合焦しようとする情報記録面２１の光軸ＡＸ上の位置に応じて収差補正素子としてのコリメータレンズ１３の光軸ＡＸ上の位置が調整されて各情報記録面２１にレーザ光が好適に合焦されるように構成されている。具体的に、例えば、コリメータレンズ１３が基準位置に位置するときに、レーザ光が対物光学系１４により第１の情報記録面２１ａに好適に合焦されるように対物レンズ１５が光学的に設計されている場合、第１の情報記録面２１ａ以外の情報記録面２１、例えば、第２の情報記録面２１ｂにレーザ光を合焦させる際には、対物光学系１４により第２の情報記録面２１ｂにレーザ光が好適に合焦するように、コリメータレンズ１３の光軸ＡＸ上の位置が調整されてレーザ光の形状（発散角等）が調整される。従って、本実施形態に係る光学系１では、複数の情報記録面２１を有する情報記録媒体２０の各情報記録面２１に対して好適にレーザ光を合焦することができる。
【００１９】
また、この時、対物レンズに入射する光束は、発散光及び収束光となるように構成する。通常、同一の対物レンズで、複数の情報記録面にスポットを集光させた場合、情報記録媒体の表面から情報記録面までの保護層の厚みが異なるため、設計中心の保護層厚から異なる場合は、球面収差が発生する。特にＢＤなど対物レンズの開口数が大きい場合は、この球面収差の発生量は非常に大きくなり安定した記録及び再生が困難となる。そのため、収差なく良好なスポットを形成するためには、対物レンズに入射する光束の入射角度を変化させ、対物レンズで球面収差を発生させる。この発生した球面収差と保護層の厚み変化で発生する球面収差とを相殺させ、収差のない良好なスポットを形成させる。
【００２０】
また、ＢＤ光学系においては、通常、トラッキングのための対物レンズシフトに対してスポット劣化の少ない無限共役の構成としているが、上記多層の情報記録媒体に対しては、集光する層に対してこの結像倍率を変える必要がある。また、今後さらなる大容量化に向け、情報記録媒体の多層化が必要であるため、この倍率の変動幅も大きくする必要がある。
【００２１】
情報記録媒体一枚当りの記録容量を大きくするためには、記録層の数を増やす事が必須である。しかしながら、記録層と近接する記録層との間の保護層の厚みを薄くすると、層間でのクロストークが起こり良好な信号検出が困難になる。そのため、記録層と近接する記録層との間の保護層の厚みはある程度の厚みが必要となる。
【００２２】
そのため、情報記録面が増加すると表面から記録面までの保護層の厚み変化の幅が増える事となり、つまりは、発生する球面収差の変化量の幅が大きくなる。発生した球面収差を倍率変化で補正する構成とする場合、この倍率変化の幅を増やす事で大きな球面収差の補正が可能となり、良好なスポット性能を得ることに寄与する。
【００２３】
また、ここでの補正すべき球面収差とは、保護層厚みの変化により発生する球面収差に限らない。光学系中に含まれるあらゆる光学素子により発生する球面収差、光源の波長変化、雰囲気中の温度変化により発生する球面収差等をも補正可能である。そうした場合、上記に述べたように対物レンズシフト時に発生する収差の課題が起こるため、同じ倍率の変動幅に対しても最大の倍率、最小の倍率の絶対値は極力小さい方が好ましい。つまり、情報記録媒体の光源側表面から最も近い情報記録面までの保護層厚みと最も遠い情報記録面までの保護層厚みとのちょうど中間の厚み（層厚の和の半分）の時に無限共役となる光学系に構成する事が好ましい。
【００２４】
このように構成することによって、複数の情報記録面２１のすべてにおいて収差劣化（球面収差、軸外のレーザ光が入射した場合に生じる諸収差、対物レンズ１５が光軸ＡＸに対して傾いた際に生じる諸収差、情報記録媒体２０が光軸ＡＸに対して傾いた際に生じる諸収差等による劣化）を効果的に低減することができる。さらに、このように構成することによって、収差補正素子としてのコリメータレンズ１３の光軸ＡＸ上の変位量を比較的小さくすることができると共に、基準位置から光源１０側への変位量と情報記録媒体２０側への変位量との差を低減することができる。従って、情報記録媒体２０の安定した再生等が可能となる。尚、これらの効果は、情報記録面２１が２面ある場合にも得られるものであるが、３面以上の情報記録面２１がある場合、さらには４面以上の情報記録面２１がある場合に特に大きい。また、使用するレーザ光の波長が比較的短いＤＶＤ（登録商標）やＢＤ（登録商標）等に対して使用される光ピックアップ装置において特に効果的である。
【００２５】
尚、ここでは、１種類の情報記録媒体に対してのみレーザ光を合焦可能な構成の光学系を例に挙げて説明したが、複数種類の情報記録媒体のそれぞれに対してレーザ光を合焦可能な構成であってもよい。その場合、対物光学系１４を対物レンズ１５と対物レンズ１５に入射する光の位相を補正する位相補正素子やビームエキスパンダーレンズ等とにより構成しても構わない。また、それぞれの情報記録媒体に専用の対物レンズが設けられた構成としてもよい。
【００２６】
また、ここでは、収差補正素子としてコリメータレンズ１３を使用する場合を例に挙げて説明したが、収差補正素子は、コリメータレンズと対物レンズとの間に配置されたビームエキスパンダーレンズ単体、又はビームエキスパンダーレンズ及びコリメータレンズにより構成してもよい。また、液晶レンズや液体レンズ等を収差補正素子として用いてもよい。
【００２７】
また、本実施形態において、レンズ等の光学素子は、実質的に屈折作用のみを有する屈折面のみにより構成されたものであってもよいが、例えば、回折面や位相段差面等の他の光学機能面を有するものであってもよい。さらに、レンズ等の光学素子の材質は特に限定されるものではなく、例えばガラス製であってもよく、樹脂製であってもよい。また、光学系１は、光源１０と情報記録媒体２０との間に透過波面収差に実質的に影響を及ぼさないような素子をさらに備えるものであってもよい。
【実施例】
【００２８】
以下、本発明を実施した光学系１を、コンストラクションデータ、収差図等を挙げてさらに具体的に説明する。尚、各数値実施例において、非球面係数が与えられた面は、非球面形状の屈折光学面又は非球面と透過な屈折作用を有する面（例えば回折面等）であることを示し、非球面の面形状を表す下記条件式で定義する。
【数１】
2011065720.tif 000003
但し、
Ｘ：光軸からの高さがｈである非球面状の点の非球面頂点の接平面からの距離、
ｈ：光軸からの高さ、
Ｃj：レンズ第ｊ面の非球面頂点の曲率（Ｃj＝１／Ｒj）、
Ｋj：レンズ第ｊ面の円錐定数、
Ａj,n：レンズ第ｊ面のｎ次の非球面定数、
であり、ｊ＝１、２、３、４、
である。
【００２９】
（数値実施例１）
数値実施例１におけるコンストラクションデータを表１に示す。
【００３０】
【表１】
2011065720.tif 000004
【００３１】
数値実施例１において、情報記録媒体２０の表面２０ａから第１の情報記録面２１ａまでの距離：４０μｍ、情報記録媒体２０の表面２０ａから第２の情報記録面２１ｂまでの距離：６７μｍ、情報記録媒体２０の表面２０ａから第３の情報記録面２１ｃまでの距離：８６μｍ、情報記録媒体２０の表面２０ａから第４の情報記録面２１ｄまでの距離：１００μｍ、設計中心厚：７０μｍ、対物レンズ１５の焦点距離：１．２ｍｍ、対物レンズ１５の有効径：２．０４ｍｍ、である。なお、コンストラクションデータにおいては、対物レンズのデータ以外の光学素子、例えばコリメートレンズ等は省略している。また、コリメートレンズを光軸方向に移動させた場合に変化する光学的な仮想物点の距離として示している。
【００３２】
図３は、数値実施例１に係る対物レンズの光路図である。図４は、数値実施例１に係る対物レンズの球面収差と正弦条件の不満足量を表す収差図である。図４において、左側は、球面収差図、右側は正弦条件図である。また、表２は、上記、各情報記録面に集光した場合の光学的仮想物点距離及び光学系の結像倍率及びその時のＴｏｔａｌ収差を示す。
【００３３】
【表２】
2011065720.tif 000005
【００３４】
結像倍率の変化の量としては、最大倍率０．０１１で最小倍率―０．０１３であるため、Δｍは０．０２６である。また、中心倍率は、（０．０１１−０．０１３）／２＝―０．００１である。これより、倍率変動の中心がほぼ無限系にあり最適な光学系の構成になっていることがわかる。
【産業上の利用可能性】
【００３５】
本発明に係る光学系及び光ピックアップ装置は、複数の情報記録面のそれぞれに対して好適にレーザ光を合焦させることが可能であるため、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）、ＥＶＤ（Ｅｎｈａｎｃｅｄ  Ｖｅｒｓａｔｉｌｅ  Ｄｉｓｃ）、ＨＤ−ＤＶＤ（Ｈｉｇｈ  Ｄｅｆｉｎｉｔｉｏｎ  Ｄｉｇｉｔａｌ  Ｖｅｒｓａｔｉｌｅ  Ｄｉｓｃ）等の種々の情報記録媒体に対して記録や再生を行う、例えば、コンピューター等の情報機器、映像機器、音響機器等に有用である。
【符号の説明】
【００３６】
１    光ピックアップ光学系
１０    光源
１１    ビーム成形レンズ
１２    ビームスプリッタ
１２ａ  ビームスプリッタ反射面
１３    コリメータレンズ
１４    対物光学系
１５    対物レンズ
１６    検出系
１７    検出レンズ
１８    検出器
２０    情報記録媒体
２１    情報記録面
２２    保護層
【図１】
2011065720.tif 000006
【図２】
2011065720.tif 000007
【図３】
2011065720.tif 000008
【図４】
2011065720.tif 000009